(57)【要約】【課題】ＬＥＤチップの出射面とは反対方向に出射した漏れ光のリードによるモールド体の凸レンズ部方向への反射を無くし、ゴースト光をほとんど含まない光を出射することができる発光ダイオードを提供する。【解決手段】一対のリード２，３と、これらのリード２，３の一方の面側に、出射面４ａをリード２，３とは反対方向に向けて配置され、一対のリード２，３に接続されたＬＥＤチップ４と、ＬＥＤチップ４の配置部をモールドし、且つＬＥＤチップ４の出射面４ａに対向する面にＬＥＤチップ４の出射面４ａからの出射光をその広がり角を小さくして出射する凸レンズ部７が形成されたモールド体６と、モールド体６内に、一対のリード２，３のＬＥＤチップ４側の面を覆って設けられ、ＬＥＤチップ４が発する光のうち、このＬＥＤチップ４の周面から出射面４ａとは反対方向に向かって出射した漏れ光を遮る非反射性遮光膜８とを備えた。【選択図】図１
2010010712.tif 000002
【特許請求の範囲】
【請求項１】
一対のリードと、これらのリードの一方の面側に、出射面を前記リードとは反対方向に向けて配置され、前記一対のリードに接続された発光ダイオードチップと、前記発光ダイオードチップの配置部をモールドし、且つ前記発光ダイオードチップの出射面に対向する面に前記発光ダイオードチップの出射面からの出射光をその広がり角を小さくして出射する凸レンズ部が形成されたモールド体と、前記モールド体内の少なくとも前記発光ダイオードチップの周囲部分に、前記一対のリードの前記発光ダイオードチップ側の面を覆って設けられ、前記発光ダイオードチップが発する光のうち、この発光ダイオードチップの周面から前記出射面とは反対方向に向かって出射した漏れ光を遮る非反射性遮光膜とを備えたことを特徴とする発光ダイオード。
【請求項２】
遮光膜は、一対のリードのモールド体内の部分の略全体を覆って設けられていることを特徴とする請求項１に記載の発光ダイオード。
【請求項３】
遮光膜は、発光ダイオードチップ部分を除いてモールド体の断面積の略全体にわたって設けられていることを特徴とする請求項１に記載の発光ダイオード。
【請求項４】
遮光膜は、その発光ダイオードチップ側の部分を前記発光ダイオードチップの出射面のうち、前記発光ダイオードチップの発光部に対応する部分を除く領域に重ねて形成されていることを特徴とする請求項１に記載の発光ダイオード。
【請求項５】
遮光膜は、一対のリードの発光ダイオードチップ側の面上に形成されており、モールド体の凸レンズ部形成面とは反対面に光吸収膜が設けられていることを特徴とする請求項１に記載の発光ダイオード。
【請求項６】
一対のリードと、これらのリードの一方の面側に、出射面を前記リードとは反対方向に向けて配置され、前記一対のリードに接続された発光ダイオードチップと、前記発光ダイオードチップの配置部をモールドし、且つ前記発光ダイオードチップの出射面に対向する面に前記発光ダイオードチップの出射面からの出射光をその広がり角を小さくして出射する凸レンズ部が形成されたモールド体と、前記モールド体内の少なくとも前記発光ダイオードチップの周囲部分に、前記一対のリードの前記発光ダイオードチップ側の面を覆って設けられ、前記発光ダイオードチップが発する光のうち、この発光ダイオードチップの周面から前記出射面とは反対方向に向かって出射した漏れ光を遮る非反射性遮光膜とを備えた発光ダイオードと、
前記発光ダイオードの出射側に配置され、前記発光ダイオードから前記モールド体の凸レンズ部により広がり角が小さくなる方向に屈折されて出射した光を平行光に補正して出射する投射レンズとを備えたことを特徴とする測距用光源。
【請求項７】
一対のリードと、これらのリードの一方の面側に、出射面を前記リードとは反対方向に向けて配置され、前記一対のリードに接続された発光ダイオードチップと、前記発光ダイオードチップの配置部をモールドし、且つ前記発光ダイオードチップの出射面に対向する面に前記発光ダイオードチップの出射面からの出射光をその広がり角を小さくして出射する凸レンズ部が形成されたモールド体と、前記モールド体内の少なくとも前記発光ダイオードチップの周囲部分に、前記一対のリードの前記発光ダイオードチップ側の面を覆って設けられ、前記発光ダイオードチップが発する光のうち、この発光ダイオードチップの周面から前記出射面とは反対方向に向かって出射した漏れ光を遮る非反射性遮光膜とを備えた発光ダイオードと、
前記発光ダイオードの出射側に配置され、前記発光ダイオードから前記モールド体の凸レンズ部により広がり角が小さくなる方向に屈折されて出射した光を平行光に補正して出射する投射レンズと、
前記発光ダイオードの側方に配置され、前記投射レンズから出射し、測距対象物により反射された戻り光を受光してその信号を出力する光センサとを備えたことを特徴とする測距装置。
【請求項８】
光センサは、投射レンズからの光の出射方向に対して交差する方向に配列した複数の光電変換素子を備え、前記投射レンズから出射して測距対象物により反射され、前記投射レンズから前記測距対象物までの距離に対応した角度で前記光センサに向かって戻った光を、前記複数の光電変換素子のうちの前記戻り光の入射点の光電変換素子により受光してその信号を出力することを特徴とする請求項７に記載の測距装置。
【請求項９】
発光ダイオードの遮光膜は、一対のリードのモールド体内の部分の略全体を覆って設けられていることを特徴とする請求項７または８に記載の測距装置。
【請求項１０】
発光ダイオードの遮光膜は、発光ダイオードチップ部分を除いてモールド体の断面積の略全体にわたって設けられていることを特徴とする請求項７または８に記載の測距装置。
【請求項１１】
発光ダイオードの遮光膜は、その発光ダイオードチップ側の部分を前記発光ダイオードチップの出射面のうち、前記発光ダイオードチップの発光部に対応する部分を除く領域に重ねて形成されていることを特徴とする請求項７または８に記載の測距装置。
【請求項１２】
発光ダイオードの遮光膜は、一対のリードの発光ダイオードチップ側の面上に形成されており、モールド体の凸レンズ部形成面とは反対面に光吸収膜が設けられていることを特徴とする請求項７または８に記載の測距装置。
【発明の詳細な説明】
【技術分野】
【０００１】
この発明は、発光ダイオード及びそれを用いた測距用光源及び測距装置に関する。
【背景技術】
【０００２】
発光ダイオードは、例えばオートフォーカスカメラにおける被写体までの距離を測定するための測距装置の光源に利用されている（特許文献１、２、３、４参照）。
【先行技術文献】
【特許文献】
【０００３】
【特許文献１】特開平６―２６５３４６号公報
【特許文献２】特開平７―３５５４４号公報
【特許文献３】特開平７―６３５４９号公報
【特許文献４】特開２００１―３１１６１９号公報
【発明の概要】
【発明が解決しようとする課題】
【０００４】
前記発光ダイオードは、一対のリードの一方の面側に、発光ダイオードチップ（以下、ＬＥＤチップと言う）を、その出射面を前記リードとは反対方向に向けるとともに前記一対のリードに接続して配置し、このＬＥＤチップの配置部を、前記ＬＥＤチップの出射面に対向する面に凸レンズ部が形成されたモールド体によりモールドしたものであり、前記ＬＥＤチップの出射面からの出射光を前記モールド体の凸レンズ部によりその広がり角を小さくして出射する。
【０００５】
しかし、従来の発光ダイオードは、前記ＬＥＤチップが発する光のうち、このＬＥＤチップの出射面から出射した光が前記モールド体の凸レンズ部により広がり角が小さくなる方向に屈折されて出射するだけでなく、前記ＬＥＤチップの周面からこのＬＥＤチップの出射面とは反対方向に出射した漏れ光が前記リードにより前記凸レンズ部の方向に反射され、その反射光が前記凸レンズ部により前記ＬＥＤチップの出射面から出射した光とは異なる方向に屈折されてゴースト光となって出射するため、前記測距装置に、前記ゴースト光の影響による測定誤差を生じさせてしまう。
【０００６】
この発明は、ＬＥＤチップの出射面とは反対方向に出射した漏れ光のリードによるモールド体の凸レンズ部方向への反射を無くし、ゴースト光をほとんど含まない光を出射することができる発光ダイオードを提供するとともに、その発光ダイオードを用いた、精度の高い距離測定を行なうことができる測距用光源及び測距装置を提供することを目的としたものである。
【課題を解決するための手段】
【０００７】
この発明の発光ダイオードは、一対のリードと、これらのリードの一方の面側に、出射面を前記リードとは反対方向に向けて配置され、前記一対のリードに接続されたＬＥＤチップと、前記ＬＥＤチップの配置部をモールドし、且つ前記ＬＥＤチップの出射面に対向する面に前記ＬＥＤチップの出射面からの出射光をその広がり角を小さくして出射する凸レンズ部が形成されたモールド体と、前記モールド体内の少なくとも前記ＬＥＤチップの周囲部分に、前記一対のリードの前記ＬＥＤチップ側の面を覆って設けられ、前記ＬＥＤチップが発する光のうち、このＬＥＤチップの周面から前記出射面とは反対方向に向かって出射した漏れ光を遮る非反射性遮光膜とを備えたことを特徴とする。
【０００８】
この発明の発光ダイオードにおいて、前記遮光膜は、前記一対のリードの前記モールド体内の部分の略全体を覆って設けるのが望ましい。
【０００９】
また、前記遮光膜は、前記ＬＥＤチップ部分を除いて前記モールド体の断面積の略全体にわたって設けるのが望ましい。
【００１０】
さらに、前記遮光膜は、そのＬＥＤチップ側の部分を前記ＬＥＤチップの出射面のうち、前記ＬＥＤチップの発光部に対応する部分を除く領域に重ねて形成するのが好ましい。
【００１１】
また、前記遮光膜は、前記一対のリードのＬＥＤドチップ側の面上に形成してもよく、その場合は、前記モールド体の凸レンズ部形成面とは反対面に光吸収膜を設けるのが好ましい。
【００１２】
また、この発明の測距用光源は、前記発明の発光ダイオードと、その出射側に配置され、前記発光ダイオードから前記モールド体の凸レンズ部により広がり角が小さくなる方向に屈折されて出射した光を平行光に補正して出射する投射レンズとを備えたことを特徴とする。
【００１３】
さらに、この発明の測距装置は、前記発明の発光ダイオードと、その出射側に配置され、前記発光ダイオードから前記モールド体の凸レンズ部により広がり角が小さくなる方向に屈折されて出射した光を平行光に補正して出射する投射レンズと、前記発光ダイオードの側方に配置され、前記投射レンズから出射し、測距対象物により反射された戻り光を受光してその信号を出力する光センサとを備えたことを特徴とする。
【００１４】
この発明の測距装置は、前記光センサに、前記投射レンズからの光の出射方向に対して交差する方向に配列した複数の光電変換素子を備え、前記投射レンズから出射して測距対象物により反射され、前記投射レンズから前記測距対象物までの距離に対応した角度で前記光センサに向かって戻った光を、前記複数の光電変換素子のうちの前記戻り光の入射点の光電変換素子により受光してその信号を出力するものを用いて三角測距を行なうものに好適である。
【００１５】
この発明の測距装置において、前記発光ダイオードの遮光膜は、前記一対のリードの前記モールド体内の部分の略全体を覆って設けるのが望ましい。
【００１６】
また、この発明の測距装置において、前記発光ダイオードの遮光膜は、前記ＬＥＤチップ部分を除いて前記モールド体の断面積の略全体にわたって設けるのが望ましい。
【００１７】
さらに、この発明の測距装置において、前記発光ダイオードの遮光膜は、そのＬＥＤチップ側の部分を前記ＬＥＤチップの出射面のうち、前記ＬＥＤチップの発光部に対応する部分を除く領域に重ねて形成するのが好ましい。
【００１８】
また、この発明の測距装置において、前記発光ダイオードの遮光膜は、前記一対のリードのＬＥＤチップ側の面上に形成してもよく、その場合は、前記モールド体の凸レンズ部形成面とは反対面に光吸収膜を設けるのが好ましい。
【発明の効果】
【００１９】
この発明の発光ダイオードは、一対のリードの一方の面側に、ＬＥＤチップを、その出射面を前記リードとは反対方向に向けて配置し、このＬＥＤチップの配置部を、前記ＬＥＤチップの出射面に対向する面に凸レンズ部が形成されたモールド体によりモールドし、さらに前記モールド体内の少なくとも前記ＬＥＤチップの周囲部分に、前記一対のリードの前記ＬＥＤチップ側の面を覆って、前記ＬＥＤチップが発する光のうち、このＬＥＤチップの周面から前記出射面とは反対方向に向かって出射した漏れ光を遮る非反射性遮光膜を設けたものであるため、前記ＬＥＤチップの出射面とは反対方向に出射した前記漏れ光の前記リードによる反射を無くし、ゴースト光をほとんど含まない光を出射することができる。
【００２０】
すなわち、この発光ダイオードによれば、前記ＬＥＤチップが発する光のうち、このＬＥＤチップの出射面から出射した光は、前記モールド体の凸レンズにより広がり角が小さくなる方向に屈折されて出射するが、前記ＬＥＤチップの周面から前記出射面とは反対方向に出射した漏れ光は、前記遮光膜により遮られるため、前記漏れ光が前記リードにより前記凸レンズ部の方向に反射されて前記凸レンズ部から出射することは無く、したがって、前記漏れ光の前記リードによる反射光、つまりゴースト光をほとんど含まない光を出射することができる。
【００２１】
この発明の発光ダイオードにおいて、前記遮光膜は、前記一対のリードの前記モールド体内の部分の略全体を覆って設けるのが望ましく、このようにすることにより、前記ＬＥＤチップの周面から前記出射面とは反対方向に出射した漏れ光の前記リードによる反射を略完全に無くし、よりゴースト光の少ない光を出射することができる。
【００２２】
さらに、前記遮光膜は、前記ＬＥＤチップ部分を除いて前記モールド体の断面積の略全体にわたって設けるのが望ましく、このようにすることにより、前記ＬＥＤチップの周面から前記出射面とは反対方向に出射した漏れ光のうち、前記リードの側方を通過した光の前記モールド体後面、つまり凸レンズ部形成面とは反対面での内面反射も無くすことができ、したがって、さらにゴースト光の少ない光を出射することができる。
【００２３】
また、前記遮光膜は、そのＬＥＤチップ側の部分を前記ＬＥＤチップの出射面のうち、前記ＬＥＤチップの発光部に対応する部分を除く領域に重ねて形成するのが好ましく、このようにすることにより、前記ＬＥＤチップの出射面の前記発光部に対応する部分だけから光を出射させ、さらにゴースト光の少ない光を出射することができる。
【００２４】
この発明の発光ダイオードにおいて、前記遮光膜は、前記一対のリードの前記ＬＥＤチップ側の面上に形成してもよく、その場合は、前記モールド体後面に光吸収膜を設けることにより、前記ＬＥＤチップの周面から前記出射面とは反対方向に出射した漏れ光の前記リードによる反射と前記モールド体後面での内面反射とを無くし、よりゴースト光の少ない光を出射することができる。
【００２５】
また、この発明の測距用光源は、前記発明の発光ダイオードと、その出射側に配置され、前記発光ダイオードから前記モールド体の凸レンズ部により広がり角が小さくなる方向に屈折されて出射した光を平行光に補正して出射する投射レンズとを備えたものであるため、前記発光ダイオードからゴースト光をほとんど含まない光を出射させ、その光を前記投射レンズにより平行光に補正して出射することができ、したがって、この測距用光源を測距装置に利用することにより、精度の高い距離測定を行なうことができる。
【００２６】
さらに、この発明の測距装置は、前記発明の発光ダイオードと、その出射側に配置され、前記発光ダイオードから前記モールド体の凸レンズ部により広がり角が小さくなる方向に屈折されて出射した光を平行光に補正して出射する投射レンズと、前記発光ダイオードの側方に配置され、前記投射レンズから出射し、測距対象物により反射された戻り光を受光してその信号を出力する光センサとを備えたものであるため、前記発光ダイオードからゴースト光をほとんど含まない光を出射させ、その光を前記投射レンズにより平行光に補正して出射して前記測距対象物に投射することができ、したがって、前記測距対象物により反射された戻り光を前記光センサに受光させることによる前記測距対象物までの距離測定を高い精度で行なうことができる。
【００２７】
この発明の測距装置は、前記光センサに、前記投射レンズからの光の出射方向に対して交差する方向に配列した複数の光電変換素子を備え、前記投射レンズから出射して測距対象物により反射され、前記投射レンズから前記測距対象物までの距離に対応した角度で前記光センサに向かって戻った光を、前記複数の光電変換素子のうちの前記戻り光の入射点の光電変換素子により受光してその信号を出力するものを用いて三角測距を行なうものに好適であり、この発明の測距装置によれば、前記三角測距の精度を飛躍的に高くすることができる。
【００２８】
この発明の測距装置において、前記発光ダイオードの遮光膜は、前記一対のリードの前記モールド体内の部分の略全体を覆って設けるのが望ましく、このようにすることにより、前記ＬＥＤチップの周面から前記出射面とは反対方向に出射した漏れ光の前記リードによる反射を略完全に無くし、前記発光ダイオードからよりゴースト光の少ない光を出射させて、より高精度の距離測定を行なうことができる。
【００２９】
また、この発明の測距装置において、前記発光ダイオードの遮光膜は、前記ＬＥＤチップ部分を除いて前記モールド体の断面積の略全体にわたって設けるのが望ましく、このようにすることにより、前記ＬＥＤチップの周面から前記出射面とは反対方向に出射した漏れ光のうち、前記リードの側方を通過した光の前記モールド体後面、つまり凸レンズ部形成面とは反対面での内面反射も無くして前記発光ダイオードからさらにゴースト光の少ない光を出射させ、さらに高精度の距離測定を行なうことができる。
【００３０】
さらに、この発明の測距装置において、前記発光ダイオードの遮光膜は、そのＬＥＤチップ側の部分を前記ＬＥＤチップの出射面のうち、前記ＬＥＤチップの発光部に対応する部分を除く領域に重ねて形成するのが好ましく、このようにすることにより、前記ＬＥＤチップの出射面の前記発光部に対応する部分だけから光を出射させ、前記発光ダイオードからさらにゴースト光の少ない光を出射させて、さらに高精度の距離測定を行なうことができる。
【００３１】
また、この発明の測距装置において、前記発光ダイオードの遮光膜は、前記一対のリードのＬＥＤチップ側の面上に形成してもよく、その場合は、前記モールド体の凸レンズ部形成面とは反対面に光吸収膜を設けることにより、前記ＬＥＤチップの周面から前記出射面とは反対方向に出射した漏れ光の前記リードによる反射と前記モールド体後面での内面反射とを無くして前記発光ダイオードからよりゴースト光の少ない光を出射させ、より高精度の距離測定を行なうことができる。
【図面の簡単な説明】
【００３２】
【図１】この発明の第１の実施例を示す発光ダイオードの断面図。
【図２】第１の実施例の発光ダイオードの一部切開正面図。
【図３】第１の実施例の発光ダイオード１からの光の出射状態を示す図。
【図４】非反射性遮光膜を備えない発光ダイオードからの光の出射状態を示す図。
【図５】この発明の第２の実施例を示す発光ダイオードの断面図。
【図６】第２の実施例の発光ダイオードの一部切開正面図。
【図７】この発明の第３の実施例を示す発光ダイオードの断面図。
【図８】この発明の第４の実施例を示す発光ダイオードの断面図。
【図９】この発明の測距用光源の一実施例を示す側面図。
【図１０】非反射性遮光膜を備えない発光ダイオードを用いた測距用光源の側面図。
【図１１】この発明の測距装置の一実施例を示す図。
【発明を実施するための形態】
【００３３】
図１及び図２はこの発明の第１の実施例を示す発光ダイオードの断面図及び一部切開正面図である。
【００３４】
この発光ダイオード１は、一対のリード２，３と、これらのリード２，３の一方の面側に、出射面４ａを前記リード２，３とは反対方向に向けて配置され、前記一対のリード２，３に接続されたＬＥＤチップ４と、前記ＬＥＤチップ４の配置部をモールドし、且つ前記ＬＥＤチップ４の出射面４ａに対向する面に前記ＬＥＤチップ４の出射面４ａからの出射光をその広がり角を小さくして出射する凸レンズ部７が形成されたモールド体６と、前記モールド体６内に、前記一対のリード２，３のＬＥＤチップ４側の面を覆って設けられ、前記ＬＥＤチップ４が発する光のうち、このＬＥＤチップ４の周面から前記出射面とは反対方向に向かって出射した漏れ光を遮る非反射性遮光膜８とを備えている。
【００３５】
前記一対のリード２，３は、表面に半田メッキが施された鉄系金属からなっており、これらのリード２，３のうち、一方のリード２には、その一端部に、前記ＬＥＤチップ４の平面形状よりも若干大きい面積のチップ搭載部が形成されている。
【００３６】
前記ＬＥＤチップ４は、その構造は図示しないが、一方の面側の中心部にｐｎ接合面からなる点状の発光部を形成したチップ状半導体のｐ層及びｎ層にそれぞれ電極を設けたものであり、前記チップ状半導体の前記発光部側の面が出射面４ａとされている。
【００３７】
このＬＥＤチップ４は、その出射面４ａとは反対面を前記一方のリード２の一端部に形成されたチップ搭載部の上に接着するとともに、一方の電極を前記一方のリード２の一端部に接続し、他方の電極を他方のリード３の一端部にリードワイヤ５を介して接続して配置されている。
【００３８】
また、前記モールド体６は、エポキシ樹脂等の透明樹脂からなっており、その凸レンズ部７の軸線は、前記ＬＥＤチップ４の出射面からの出射光軸（出射面に垂直で且つ発光部ａの中心を通る線）に一致している。
【００３９】
一方、前記非反射性遮光膜８は、例えば、前記モールド体６の凸レンズ部７以外の部分の前記凸レンズ部７の軸線に対して直交する方向の断面形状と略同じ外形を有し、その中心部に前記ＬＥＤチップ４の外周に密に嵌合する開口が形成された黒色の光吸収膜からなっており、この遮光膜８は、前記開口内に前記ＬＥＤチップ４を嵌合させて前記一対のリード２，３のＬＥＤチップ４側の面上に重ねられ、前記ＬＥＤチップ４及びリード２，３の一端部とともに前記モールド体６によりモールドされている。
【００４０】
この発光ダイオード１は、一対のリード２，３の一方の面側に、ＬＥＤチップ４を、その出射面４ａを前記リード２，３とは反対方向に向けて配置し、このＬＥＤチップ４の配置部を、前記ＬＥＤチップ４の出射面４ａに対向する面に凸レンズ部７が形成されたモールド体６によりモールドし、さらに前記モールド体６内に、前記一対のリード２，３のＬＥＤチップ４側の面を覆って、前記ＬＥＤチップ４が発する光のうち、このＬＥＤチップ４の周面から前記出射面４ａとは反対方向に向かって出射した漏れ光を遮る非反射性遮光膜８を設けたものであるため、前記ＬＥＤチップ４の周面から前記出射面４ａとは反対方向に出射した漏れ光の前記リード２，３による反射を無くし、前記凸レンズ部７からゴースト光をほとんど含まない光を出射することができる。
【００４１】
すなわち、図３は上記実施例の発光ダイオード１からの光の出射状態を示し、図４は、前記非反射性遮光膜８を備えない発光ダイオード１ａからの光の出射状態を示している。
【００４２】
まず、図４に示した非反射性遮光膜８を備えない発光ダイオード１ａからの光の出射について説明すると、この発光ダイオード１ａは、ＬＥＤチップ４が発する光のうち、このＬＥＤチップ４の出射面４ａから出射した光が、図４に実線で示したようにモールド体６の凸レンズ部７により広がり角が小さくなる方向に屈折されて出射するだけでなく、前記ＬＥＤチップ４の周面からこのＬＥＤチップ４の出射面４ａとは反対方向に出射した漏れ光が、図４に破線で示したようにリード２，３により前記凸レンズ部７の方向に反射され、その反射光が前記凸レンズ部７により前記ＬＥＤチップ４の出射面４ａから出射した光とは異なる方向に屈折されてゴースト光となって出射する。
【００４３】
なお、図４には示していないが、前記ＬＥＤチップ４の周面から前記出射面４ａとは反対方向に出射した漏れ光には、前記リード２，３の側方を通過して前記モールド体後面、つまり凸レンズ部形成面とは反対面に向かう光もあり、非反射性遮光膜８を備えない発光ダイオード１ａは、その漏れ光が前記モールド体６の後面で内面反射（モールド体の後面と外気である空気層との界面で全反射）し、その反射光も前記凸レンズ部７により前記ＬＥＤチップ４の出射面４ａから出射した光とは異なる方向に屈折されてゴースト光となって出射する。
【００４４】
それに対して、上記実施例の発光ダイオード１は、ＬＥＤチップ４が発する光のうち、このＬＥＤチップ４の出射面４ａから出射した光は、図３に実線で示したようにモールド体６の凸レンズ７により広がり角が小さくなる方向に屈折されて出射するが、前記ＬＥＤチップ４の周面から前記出射面４ａとは反対方向に出射した漏れ光は、非反射性遮光膜８により遮られるため、前記漏れ光がリード２，３により反射されて前記凸レンズ部７から出射することは無く、したがって、前記漏れ光の前記リード２，３による反射光、つまりゴースト光をほとんど含まない光を前記凸レンズ部７から出射することができる。
【００４５】
しかも、この発光ダイオード１は、前記遮光膜８を、一対のリード２，３のモールド体６内の部分の略全体を覆って設けているため、前記ＬＥＤチップ４の周面から前記出射面４ａとは反対方向に出射した漏れ光のリード２，３による反射を略完全に無くし、よりゴースト光の少ない光を出射することができる。
【００４６】
さらに、この発光ダイオード１は、前記遮光膜８の外形を前記モールド体６の凸レンズ部７以外の部分の前記凸レンズ部７の軸線に対して直交する方向の凸レンズ部７以外の部分の断面形状（凸レンズ部７の軸線に対して直交する方向の断面形状）と略同じにし、この遮光膜８を、ＬＥＤチップ４部分を除いて前記モールド体６の断面積の略全体にわたって設けているため、前記ＬＥＤチップ４の周面から前記出射面４ａとは反対方向に出射した漏れ光のうち、前記リード２，３の側方を通過した光の前記モールド体後面での内面反射も無くすことができ、したがって、さらにゴースト光の少ない光を出射することができる。
【００４７】
なお、上記第１の実施例では、非反射性遮光膜８を、一対のリード２，３のモールド体６内の部分の略全体を覆って設けているが、ＬＥＤチップ４の周面からこのＬＥＤチップ４の出射面４ａとは反対方向に向かって出射し、リード２，３により反射された漏れ光のうち、前記モールド体６の凸レンズ部７に向かう反射光のほとんどは、リード２，３のＬＥＤチップ４の近傍の部分で反射された光であるため、前記遮光膜８は、前記ＬＥＤチップ４の周囲部分に、一対のリード２，３のＬＥＤチップ４側の面を覆って設けてもよく、このようにしても、前記漏れ光のリード２，３による前記凸レンズ部７方向への反射をほとんど無くし、ゴースト光の少ない光を出射することができる。
【００４８】
図５及び図６はこの発明の第２の実施例を示す発光ダイオードの断面図及び一部切開正面図であり、この実施例の発光ダイオード１は、非反射性遮光膜８を、モールド体６の凸レンズ部７以外の部分の断面形状（凸レンズ部７の軸線に対して直交する方向の断面形状）と略同じ外形を有し、頂部にＬＥＤチップ４の外周に密に嵌合する開口が形成された角錐面状または円錐面状に形成し、この遮光膜８を、その頂部付近の領域、つまりＬＥＤチップ４の周囲部分に対応する領域で一対のリード２，３のＬＥＤチップ４側の面を覆って配置したものである。
【００４９】
なお、この実施例では、前記角錐面状または円錐面状の遮光膜８の傾斜面の一対のリード２，３と交差する部分にそれぞれリード通し孔を設け、この遮光膜８を、前記リード通し孔に前記リード２，３を挿通して配置している。
【００５０】
この発光ダイオード１は、一対のリード２，３のＬＥＤチップ４の近傍の部分を非反射性遮光膜８により覆っているため、前記ＬＥＤチップ４の周面からこのＬＥＤチップ４の出射面４ａとは反対方向に出射した漏れ光のリード２，３による反射をほとんど無くすとともに、前記遮光膜８の外形をモールド体６の凸レンズ部７以外の部分の断面形状と略同じにし、この遮光膜８を、ＬＥＤチップ４部分を除いて前記モールド体６の断面積の略全体にわたって設けているため、前記ＬＥＤチップ４の周面から前記出射面４ａとは反対方向に出射した漏れ光のうち、前記リード２，３の側方を通過した光のモールド体後面での内面反射も無くすことができ、したがって、前記凸レンズ部７からゴースト光をほとんど含まない光を出射することができる。
【００５１】
図７はこの発明の第３の実施例を示す発光ダイオードの断面図であり、この実施例の発光ダイオード１は、非反射性遮光膜８の外形をモールド体６の凸レンズ部７以外の部分の前記凸レンズ部７の軸線に対して直交する方向の凸レンズ部７以外の部分の断面形状と略同じにし、この遮光膜８を一対のリード２，３のモールド体６内の部分の略全体を覆って設けるとともに、この遮光膜８のＬＥＤチップ４側の部分を、前記ＬＥＤチップ４の出射面４ａのうち、前記ＬＥＤチップ４の中心部の発光部に対応する部分を除く外周領域に重ねて形成したものである。
【００５２】
この実施例の発光ダイオード１によれば、前記ＬＥＤチップ４の周面から前記出射面４ａとは反対方向に出射した漏れ光のリード２，３による反射と、前記漏れ光のうちの前記リード２，３の側方を通過した光のモールド体後面での内面反射とを無くすとともに、前記ＬＥＤチップ４の出射面４ａの前記発光部に対応する部分だけから光を出射させ、さらにゴースト光の少ない光を出射することができる。
【００５３】
すなわち、前記ＬＥＤチップ４は、その発光部からの光を記出射面４ａから直接出射するとともに、前記発光部からＬＥＤチップ内に向かう光を、その出射面４ａとは反対面での内面反射またはリード２面での反射及びＬＥＤチップ４の周面での内面反射により前記出射面４ａに入射させてこの出射面４ａから出射するが、その光には、前記出射面４ａから直接出射する光に対して大きくずれた方向に出射する迷光もあり、この迷光が、モールド体６の凸レンズ部７により前記ＬＥＤチップ４の出射面４ａから直接出射した光とは異なる方向に屈折されてゴースト光となる。
【００５４】
しかし、この実施例の発光ダイオード１は、前記遮光膜８のＬＥＤチップ４側の部分を、前記ＬＥＤチップ４の出射面４ａのうち、前記ＬＥＤチップ４の発光部に対応する部分を除く領域に重ねて形成しているため、前記ＬＥＤチップ４の出射面４ａの発光部に対応する部分だけから光を出射させることができ、したがって、前記迷光の出射をほとんど無くし、さらにゴースト光の少ない光を出射することができる。
【００５５】
図８はこの発明の第４の実施例を示す発光ダイオードの断面図であり、この実施例の発光ダイオード１は、非反射性遮光膜８を、一対のリード２，３のＬＥＤチップ４側の面上にモールド体６内の部分の略全体を覆って設けるとともに、モールド体後面にその全体にわたって光吸収膜９を設けたものであり、この発光ダイオード１によれば、前記ＬＥＤチップ４の周面から出射面４ａとは反対方向に出射した漏れ光のリード２，３による反射と前記モールド体後面での内面反射とを無くし、よりゴースト光の少ない光を出射することができる。
【００５６】
前記発光ダイオード１は、例えばオートフォーカスカメラの測距装置等、測距対象物（オートフォーカスカメラの場合は被写体）までの距離を測定するための測距装置の光源に利用される。
【００５７】
図９はこの発明の測距用光源の一実施例を示しており、この実施例の測距用光源は、前記第１の実施例の発光ダイオード１と、その出射側に配置され、前記発光ダイオード１のＬＥＤチップ４の出射面４ａから出射し、前記モールド体６の凸レンズ部７により広がり角が小さくなる方向に屈折されて出射した光を平行光に補正して出射する投射レンズ１０とを備えたものである。
【００５８】
なお、この測距用光源は、オートフォーカスカメラに実装される被写体までの距離を測定するための赤外線測距装置に利用されるものであり、前記発光ダイオード１のＬＥＤチップ４は、赤外線光を発するチップ状半導体を備えている。
【００５９】
この測距用光源は、前記第１の実施例の発光ダイオード１の出射側に前記投射レンズ１０を配置したものであるため、前記発光ダイオード１からゴースト光をほとんど含まない光を出射させ、その光を前記投射レンズ１０により平行光に補正して出射することができ、したがって、この測距用光源を測距装置に利用することにより、精度の高い距離測定を行なうことができる。
【００６０】
すなわち、図１０は、非反射性遮光膜８を備えない発光ダイオード１ａを用いた測距用光源を示しており、前記非反射性遮光膜８を備えない発光ダイオード１ａは、図４に示したように、ＬＥＤチップ４の出射面４ａから出射し、モールド体６の凸レンズ部７により広がり角を小さくされた正規光と、前記ＬＥＤチップ４の周面から出射面４ａとは反対方向に出射した漏れ光の反射光が前記凸レンズ部７により前記正規光とは異なる方向に屈折されたゴースト光とを出射する。
【００６１】
そのため、この測距用光源では、前記発光ダイオード１ａからの正規光が図１０に実線で示したように投射レンズ１０により平行光に補正されて出射するだけでなく、前記発光ダイオード１ａからのゴースト光が図１０に破線で示したように前記投射レンズ１０により前記平行光とは異なる方向に出射し、測距装置に、前記ゴースト光の影響による測定誤差を生じさせてしまう。
【００６２】
それに対し、前記第１の実施例の発光ダイオード１の出射側に投射レンズ１０を配置した測距用光源は、前記発光ダイオード１からの出射光が図３に示したようにゴースト光をほとんど含まない光であり、その光が図９に実線で示したように投射レンズ１０により平行光に補正されて出射するため、この測距用光源を測距装置に利用することにより、精度の高い距離測定を行なうことができる。
【００６３】
なお、上記実施例の測距用光源は、図１〜図３に示した第１の実施例の発光ダイオード１を用いたものであるが、発光ダイオード１は、図５及び図６に示した第２の実施例、図７に示した第３の実施例、図８に示した第４の実施例のものでもよく、その場合も、この測距用光源を測距装置に利用することにより、精度の高い距離測定を行なうことができる。
【００６４】
また、この発明の測距用光源は、オートフォーカスカメラの測距装置に限らず、他の測距装置の光源にも利用することもできる。
【００６５】
図１１はこの発明の測距装置の一実施例を示しており、この測距装置は、前記第１〜第４のいずれかの実施例の発光ダイオード１と、その出射側に配置され、前記発光ダイオード１のＬＥＤチップ４の出射面４ａから出射し、前記モールド体６の凸レンズ部７により広がり角が小さくなる方向に屈折されて出射した光を平行光に補正して出射する投射レンズ１０と、前記発光ダイオード１の側方に十分な間隔をおいて配置され、前記投射レンズ１０から出射し、測距対象物Ａにより反射された戻り光を受光してその信号を出力する光センサ１１と、前記光センサ１１からの出力信号に基づいて測距対象物Ａまでの距離を判定する測距回路１４とを備えている。
【００６６】
なお、この実施例の測距装置は、オートフォーカスカメラに実装される赤外線測距装置であり、前記発光ダイオード１のＬＥＤチップ４は、赤外線光を発するチップ状半導体を備えている。
【００６７】
この測距装置において、前記光センサ１１は、一方の面に、複数の光電変換素子、例えばフォトダイオード１２を、前記投射レンズ１０からの光（平行光）の出射方向に対して交差する方向に１列に密に並べて配列形成したものであり、前記投射レンズから出射して測距対象物（以下、被写体と言う）Ａにより反射され、前記光センサ１１に対して前記投射レンズ１０から前記被写体Ａまでの距離に対応した角度方向から入射する戻り光を、前記複数のフォトダイオード１２のうちの前記戻り光の入射点のフォトダイオード１２により受光してその信号を出力する。
【００６８】
この光センサ１１は、そのフォトダイオード形成面を前記投射レンズ１０からの出射光が向かう方向に向けて、フォトダイオード形成面が前記投射レンズ１０からの出射光の軸線Ｏに対して垂直になるように配置されており、したがって、この光センサ１１の複数のフォトダイオード１２は、前記投射レンズ１０からの出射光の軸線Ｏと直交する方向に配列している。
【００６９】
そして、前記光センサ１１の光入射側、つまりフォトダイオード形成面の前方には、前記被写体Ａにより反射された戻り光を集光させて前記フォトダイオード１２の受光面に入射させるセンサ側レンズ１３が配置されている。
【００７０】
この測距装置は、三角測距を行なうものであり、前記発光ダイオード１から出射し、前記投射レンズ１０により平行光とされてこの投射レンズ１０から出射した光を被写体Ａに向けて投射することにより、前記被写体Ａにより反射され、前記投射レンズ１０から前記被写体Ａまでの距離に対応した角度方向から前記光センサ１１に向かって戻った光を、前記光センサ１１の複数のフォトダイオード１２のうちの前記戻り光の入射点に位置するフォトダイオード１２により受光し、その信号を前記光センサ１１から測距回路１４に出力する。
【００７１】
なお、前記被写体Ａにより反射された戻り光は、前記センサ側レンズ１３により集光され、前記光センサ１１の複数のフォトダイオード１２のうち、前記戻り光の入射点に位置するフォトダイオード１２に入射する。
【００７２】
図１１において、実線は前記投射レンズ１０から被写体Ａまでの距離が短いときの光路、鎖線は前記投射レンズ１０から被写体Ａまでの距離が長いときの光路を示しており、前記投射レンズ１０から被写体Ａまでの距離が短いときは、前記被写体Ａにより反射された戻り光が前記光センサ１１の前記発光ダイオード１に近い側のフォトダイオード１２に入射し、前記投射レンズ１０から被写体Ａまでの距離が長いときは、前記被写体Ａにより反射された戻り光が前記光センサ１１の前記発光ダイオード１から遠い側のフォトダイオード１２に入射する。
【００７３】
そして、前記光センサ１１は、その複数のフォトダイオード１２のうち、前記戻り光を受光したフォトダイオード１２の位置に対応する信号を測距回路１４に出力する。
【００７４】
一方、前記測距回路１４には前記投射レンズ１０からの出射光、つまり被写体投射光の軸線Ｏから前記光センサ１１の配置位置までの距離データが予め設定されており、この測距回路１４は、前記光センサ１１からの出力信号に基づいて、前記被写体投射光の軸線Ｏに対して直交する線上における前記軸線Ｏから前記光センサ１１の戻り光入射点までの距離と、前記光センサ１１に対する前記戻り光の入射角とを求め、これらの距離及び角度から三角測量の原理により前記被写体Ａまでの距離を判定し、その測距データを図示しないレンズ焦点調整部に出力する。
【００７５】
この測距装置は、前記第１〜第４のいずれかの実施例の発光ダイオード１と、この発光ダイオード１からモールド体６の凸レンズ部７により広がり角が小さくなる方向に屈折されて出射した光を平行光に補正して出射する投射レンズ１０と、前記発光ダイオード１の側方に配置され、前記投射レンズ１０から出射し、測距対象物Ａにより反射された戻り光を受光してその信号を出力する光センサ１１とを備えたものであるため、前記発光ダイオード１からゴースト光をほとんど含まない光を出射させ、その光を前記投射レンズ１０により平行光に補正して出射して被写体Ａに投射することができ、したがって、前記被写体Ａにより反射された戻り光を前記光センサ１１に受光させることによる前記被写体Ａまでの距離測定を高い精度で行なうことができる。
【００７６】
すなわち、この実施例の測距装置は、光センサ１１に、前記投射レンズ１０からの光の出射方向に対して交差する方向に配列した複数のフォトダイオード１２を備え、前記投射レンズ１０から出射して被写体Ａにより反射され、前記光センサ１１に対して前記投射レンズ１０から前記被写体Ａまでの距離に対応した角度方向から入射する戻り光を、前記複数のフォトダイオード１２のうちの前記戻り光の入射点のフォトダイオード１２により受光してその信号を出力するものを用いて三角測距を行なうものであり、この三角測距では、前記発光ダイオード１から出射し、前記投射レンズ１０により被写体Ａに投射される光がゴースト光を含んでいると、そのゴースト光が測距精度に影響するが、この測距装置によれば、前記発光ダイオード１からゴースト光をほとんど含まない光を出射させ、その光を前記投射レンズ１０により平行光に補正して出射して被写体Ａに投射することができるため、前記三角測距の精度を飛躍的に高くすることができる。
【００７７】
前記測距装置において、前記発光ダイオード１の遮光膜８は、図１〜図３に示した第１の実施例のように、一対のリード２，３のモールド体６内の部分の略全体を覆って設けるのが望ましく、このようにすることにより、ＬＥＤチップ４の周面から出射面４ａとは反対方向に出射した漏れ光の前記リード２，３による反射を略完全に無くし、前記発光ダイオード１からよりゴースト光の少ない光を出射させて、より高精度の距離測定を行なうことができる。
【００７８】
また、前記測距装置において、前記発光ダイオード１の遮光膜８は、図５及び図６に示した第２の実施例のように、ＬＥＤチップ４部分を除いてモールド体６の断面積の略全体にわたって設けるのが望ましく、このようにすることにより、前記ＬＥＤチップ４の周面から出射面４ａとは反対方向に出射した漏れ光のうち、リード２，３の側方を通過した光のモールド体後面、つまり凸レンズ部形成面とは反対面での内面反射も無くして前記発光ダイオード１からさらにゴースト光の少ない光を出射させ、さらに高精度の距離測定を行なうことができる。
【００７９】
さらに、前記測距装置において、前記発光ダイオード１の遮光膜８は、図７に示した第３の実施例のように、ＬＥＤチップ４側の部分を前記ＬＥＤチップ４の出射面４ａのうち、前記ＬＥＤチップ４の発光部に対応する部分を除く領域に重ねて形成するのが好ましく、このようにすることにより、前記ＬＥＤチップ４の出射面４ａの前記発光部に対応する部分だけから光を出射させ、前記発光ダイオード１からさらにゴースト光の少ない光を出射させて、さらに高精度の距離測定を行なうことができる。
【００８０】
また、前記測距装置において、前記発光ダイオード１の遮光膜８は、図８に示した第４の実施例のように、一対のリード２，３のＬＥＤチップ４側の面上に形成してもよく、その場合は、前記モールド体６の凸レンズ部形成面とは反対面に光吸収膜９を設けることにより、前記ＬＥＤチップ４の周面から出射面４ａとは反対方向に出射した漏れ光の前記リード２，３による反射とモールド体後面での内面反射とを無くして前記発光ダイオード１からよりゴースト光の少ない光を出射させ、より高精度の距離測定を行なうことができる。
【００８１】
なお、図１１に示した測距装置は三角測距を行なうものであるが、この発明は、前記発光ダイオード１からモールド体６の凸レンズ部７により広がり角が小さくなる方向に屈折されて出射した光を投射レンズ１０により平行光に補正して出射し、被写体（測距対象物）Ａにより反射された戻り光を前記発光ダイオード１の側方に配置された光センサにより受光して、前記発光ダイオード１からの光出射と前記光センサへの戻り光入射との時間差に基づいて前記被写体Ａまでの距離を判定する時間差測距を行なう測距装置にも適用することができる。
【００８２】
また、この発明の測距装置は、オートフォーカスカメラの測距装置に限らず、他の測距装置にも適用することができる。
【符号の説明】
【００８３】
１…発光ダイオード、２，３…リード、４…ＬＥＤチップ、４ａ…出射面、５…リードワイヤ、６…モールド体、７…凸レンズ部、８…非反射性遮光膜、９…光吸収膜、１０…投射レンズ、１１…光センサ、１２…フォトダイオード（光電変換素子）、１３…センサ側レンズ、１４…測距回路、Ａ…被写体（測距対象物）。
【図１】
2010010712.tif 000003
【図２】
2010010712.tif 000004
【図３】
2010010712.tif 000005
【図４】
2010010712.tif 000006
【図５】
2010010712.tif 000007
【図６】
2010010712.tif 000008
【図７】
2010010712.tif 000009
【図８】
2010010712.tif 000010
【図９】
2010010712.tif 000011
【図１０】
2010010712.tif 000012
【図１１】
2010010712.tif 000013
【手続補正書】
【提出日】平成21年11月19日(2009.11.19)
【手続補正２】
【補正対象書類名】明細書
【補正対象項目名】０００１
【補正方法】変更
【補正の内容】
【０００１】
この発明は、測距用光源及びそれを用いた測距装置に関する。
【手続補正３】
【補正対象書類名】明細書
【補正対象項目名】０００７
【補正方法】変更
【補正の内容】
【０００７】
この発明の測距用光源は、一対のリードと、これらのリードの一方の面側に、出射面を前記リードとは反対方向に向けて配置され、前記一対のリードに接続されたＬＥＤチップと、前記ＬＥＤチップの配置部をモールドし、且つ前記ＬＥＤチップの出射面に対向する面に前記ＬＥＤチップの出射面からの出射光をその広がり角を小さくして出射する凸レンズ部が形成されたモールド体と、前記モールド体の前記凸レンズ部以外の部分において、凸レンズ部のレンズ軸に対して直交する方向に前記出射面側を凸とした角錐形状または円錐形状で前記ＬＥＤチップ部分を除く前記モールド体を断面する断面形状を有して設けられ、前記ＬＥＤチップが発する光のうち、このＬＥＤチップの周面から前記出射面とは反対方向の前記一対のリード上に向かって出射した漏れ光を遮る非反射性の遮光膜と、前記ＬＥＤチップの出射側に配置され、前記ＬＥＤチップから前記モールド体の凸レンズ部により広がり角が小さくなる方向に屈折されて出射した光を平行光に補正して出射する投射レンズとを備えたことを特徴とする。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
また、前記遮光膜は、前記一対のリードと交差する部分にそれぞれリード通し孔を設け、前記一対のリードは、当該リード通し孔に挿通して配置されることが望ましい。
【手続補正６】
【補正対象書類名】明細書
【補正対象項目名】００１０
【補正方法】変更
【補正の内容】
【００１０】
さらに、前記遮光膜は、そのＬＥＤチップ側の部分を前記ＬＥＤチップの出射面のうち、前記ＬＥＤチップの発光部の周囲部分に対応する領域に重ねて形成するのが好ましい。
【手続補正７】
【補正対象書類名】明細書
【補正対象項目名】００１２
【補正方法】削除
【補正の内容】
【手続補正８】
【補正対象書類名】明細書
【補正対象項目名】００１５
【補正方法】変更
【補正の内容】
【００１５】
この発明の測距装置において、遮光膜は、前記一対のリードと交差する部分にそれぞれリード通し孔を設け、前記一対のリードは、当該リード通し孔に挿通して配置されるのが望ましい。
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】変更
【補正の内容】
【００１７】
さらに、この発明の測距装置において、前記発光ダイオードの遮光膜は、そのＬＥＤチップ側の部分を前記ＬＥＤチップの出射面のうち、前記ＬＥＤチップの発光部の周囲部分に対応する領域に重ねて形成するのが好ましい。
【手続補正１１】
【補正対象書類名】明細書
【補正対象項目名】００１９
【補正方法】変更
【補正の内容】
【００１９】
本発明によれば、ＬＥＤチップの出射面とは反対方向に出射した漏れ光のリード上による反射を軽減し、ゴースト光をほとんど含まない光を出射することができる。
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】削除
【補正の内容】
【手続補正１９】
【補正対象書類名】明細書
【補正対象項目名】００２７
【補正方法】削除
【補正の内容】
【手続補正２０】
【補正対象書類名】明細書
【補正対象項目名】００２８
【補正方法】削除
【補正の内容】
【手続補正２１】
【補正対象書類名】明細書
【補正対象項目名】００２９
【補正方法】削除
【補正の内容】
【手続補正２２】
【補正対象書類名】明細書
【補正対象項目名】００３０
【補正方法】削除
【補正の内容】
【手続補正２３】
【補正対象書類名】明細書
【補正対象項目名】００３１
【補正方法】削除
【補正の内容】
【手続補正２４】
【補正対象書類名】特許請求の範囲
【補正対象項目名】全文
【補正方法】変更
【補正の内容】
【特許請求の範囲】
【請求項１】
一対のリードと、これらのリードの一方の面側に、出射面を前記リードとは反対方向に向けて配置され、前記一対のリードに接続された発光ダイオードチップと、前記発光ダイオードチップの配置部をモールドし、且つ前記発光ダイオードチップの出射面に対向する面に前記発光ダイオードチップの出射面からの出射光をその広がり角を小さくして出射する凸レンズ部が形成されたモールド体と、前記モールド体の前記凸レンズ部以外の部分において、凸レンズ部のレンズ軸に対して直交する方向に前記出射面側を凸とした角錐形状または円錐形状で前記発光ダイオードチップ部分を除く前記モールド体を断面する断面形状を有して設けられ、前記発光ダイオードチップが発する光のうち、この発光ダイオードチップの周面から前記出射面とは反対方向の前記一対のリード上に向かって出射した漏れ光を遮る非反射性の遮光膜と、前記発光ダイオードチップの出射側に配置され、前記発光ダイオードチップから前記モールド体の凸レンズ部により広がり角が小さくなる方向に屈折されて出射した光を平行光に補正して出射する投射レンズとを備えたことを特徴とする測距用光源。
【請求項２】
遮光膜は、前記一対のリードと交差する部分にそれぞれリード通し孔を設け、前記一対のリードは、当該リード通し孔に挿通して配置されることを特徴とする請求項１に記載の測距用光源。
【請求項３】
遮光膜は、その発光ダイオードチップ側の部分を前記発光ダイオードチップの出射面のうち、前記発光ダイオードチップの発光部の周囲部分に対応する領域に重ねて形成されていることを特徴とする請求項１又は２に記載の測距用光源。
【請求項４】
遮光膜は、一対のリードの発光ダイオードチップ側の面上に形成されており、モールド体の凸レンズ部形成面とは反対面に光吸収膜が設けられていることを特徴とする請求項１から３に何れか記載の測距用光源。
【請求項５】
一対のリードと、これらのリードの一方の面側に、出射面を前記リードとは反対方向に向けて配置され、前記一対のリードに接続された発光ダイオードチップと、前記発光ダイオードチップの配置部をモールドし、且つ前記発光ダイオードチップの出射面に対向する面に前記発光ダイオードチップの出射面からの出射光をその広がり角を小さくして出射する凸レンズ部が形成されたモールド体と、前記モールド体の前記凸レンズ部以外の部分において、凸レンズ部のレンズ軸に対して直交する方向に前記出射面側を凸とした角錐形状または円錐形状で前記発光ダイオードチップ部分を除く前記モールド体を断面する断面形状を有して設けられ、前記発光ダイオードチップが発する光のうち、この発光ダイオードチップの周面から前記出射面とは反対方向の前記一対のリード上に向かって出射した漏れ光を遮る非反射性の遮光膜とを備えた発光ダイオードと、
前記発光ダイオードの出射側に配置され、前記発光ダイオードから前記モールド体の凸レンズ部により広がり角が小さくなる方向に屈折されて出射した光を平行光に補正して出射する投射レンズと、
前記発光ダイオードの側方に配置され、前記投射レンズから出射し、測距対象物により反射された戻り光を受光してその信号を出力する光センサとを備えたことを特徴とする測距装置。
【請求項６】
光センサは、投射レンズからの光の出射方向に対して交差する方向に配列した複数の光電変換素子を備え、前記投射レンズから出射して測距対象物により反射され、前記投射レンズから前記測距対象物までの距離に対応した角度で前記光センサに向かって戻った光を、前記複数の光電変換素子のうちの前記戻り光の入射点の光電変換素子により受光してその信号を出力することを特徴とする請求項５に記載の測距装置。
【請求項７】
遮光膜は、前記一対のリードと交差する部分にそれぞれリード通し孔を設け、前記一対のリードは、当該リード通し孔に挿通して配置されることを特徴とする請求項５又は６に記載の測距装置。
【請求項８】
発光ダイオードの遮光膜は、その発光ダイオードチップ側の部分を前記発光ダイオードチップの出射面のうち、前記発光ダイオードチップの発光部の周囲部分に対応する領域に重ねて形成されていることを特徴とする請求項５から７に何れか記載の測距装置。
【請求項９】
発光ダイオードの遮光膜は、一対のリードの発光ダイオードチップ側の面上に形成されており、モールド体の凸レンズ部形成面とは反対面に光吸収膜が設けられていることを特徴とする請求項５から７に何れか記載の測距装置。